(57)【要約】【課題】屋根に上らず、屋根上の雪下ろしをより少ない労力で行うことが出来る雪下ろし具を提供する。【解決手段】柄と、柄の一方の端に設けられた雪掻き板と、柄の他方の端に設けられた把持部と、把持部から所定の間隔をあけて柄に設けられた支点と、支点に両端が接続する帯状部とを有する雪下ろし具。【選択図】図１
0003127787.tif 000002
【実用新案登録請求の範囲】
【請求項１】
柄と、
該柄の一方の端に設けられた雪掻き板と、
前記柄の少なくとも一点に接続され、前記柄を吊り下げて支持し、前記柄との接続部を略支点として前記柄を揺動可能とする吊り下げ部材とを有することを特徴とする雪下ろし具。
【請求項２】
前記接続部の位置が調節可能であることを特徴とする請求項１に記載の雪下ろし具。
【請求項３】
前記吊り下げ部材は少なくとも一部が帯状であることを特徴とする請求項１又は２に記載の雪下ろし具。
【請求項４】
前記柄は屈曲していることを特徴とする請求項１乃至３の何れか一項に記載の雪下ろし具。
【請求項５】
前記柄は、連結された複数の棒状体を有し、伸縮可能とされていることを特徴とする請求項１乃至４の何れか一項に記載の雪下ろし具。
【請求項６】
前記柄の他方の端に、前記柄の揺動を補助する重りが付加されていることを特徴とする請求項１乃至５の何れか一項に記載の雪下ろし具。
【請求項７】
前記雪掻き板を前記柄の軸方向に移動させる力を印加できる支持部を、前記柄の他方の端にさらに有することを特徴とする請求項１乃至６の何れか一項に記載の雪下ろし具。
【請求項８】
柄と、
該柄の一方の端に設けられた雪掻き板と、
前記柄の少なくとも一点に接続され、
前記柄の他方の端に設けられ、前記雪掻き板を前記柄の軸方向に移動させる力を印加できる支持部とを有することを特徴とする雪下ろし具。
【考案の詳細な説明】
【技術分野】
【０００１】
本考案は、屋根の雪下ろしに用いるための雪下ろし具に関する。
【背景技術】
【０００２】
家屋等の屋根の雪下ろしは、人が屋根に上り、シャベルやスノーダンプ等の器具を用いて行うことが多い。特許文献１には、危険な足場での雪下ろし作業の労力を低減できる除雪用スノージャンプが開示されている。この除雪用スノージャンプによれば、屋根に上った人が軒先に近づかずに、屋根上の積雪を滑らせ、屋根の下に落とすことができる。
【０００３】
また、特許文献２〜５には、人が屋根に上らずに、屋根の下からの操作で雪下ろしを行うための雪下ろし具が記載されている。特許文献２記載の装置によれば、屋根に支柱が設置され、支柱間にワイヤーを張ることで、屋根上にワイヤーが設置される。別のワイヤーに雪掻き板を固定し、雪掻き板が固定されたワイヤーと屋根上のワイヤーとをリングを介して繋ぐ。雪掻き板を固定したワイヤーを屋根下で操作することで、屋根上の雪掻き板を動かし、雪下ろしを行う。
【０００４】
特許文献３〜５記載の雪下ろし具は、屋根に特別な仕組みを施さずに使用できる。例えば、特許文献３記載の雪下し器は、先端が傾斜した柄と、柄の先端に取り付けられた雪掻き板と、雪掻き板又はその近傍に一端が取り付けられた引きロープを有する。引きロープを引くと、雪掻き板が雪に埋まり、雪掻き板で積雪を深く削り取ることが出来る。
【特許文献１】特開昭６２−１６０３５１号公報（図１）
【特許文献２】特許第３０３２２０５号公報（図１）
【特許文献３】実開昭６２−３８９２２号公報（図１）
【特許文献４】特開２００３−１８４２４７号公報（図１）
【特許文献５】特開２００２−２４２４００号公報（図１）
【考案の開示】
【考案が解決しようとする課題】
【０００５】
屋根の上り下りや屋根上での雪下ろし作業は危険を伴うため、屋根下の比較的安全な場所で雪下ろしができることが望ましい。特許文献１記載の雪下ろし具は、屋根上での雪下ろし作業に用いられる。特許文献２記載の雪下ろし装置では、屋根に支柱、ワイヤー等を設置する必要があり、これらの設置・撤去を降雪時期ごとに行うと、設置・撤去作業での危険が生じる。支柱等を通年、設置したままにすると、降雪時期以外に家屋の外観が損なわれるだけでなく、支柱やワイヤー等の維持・管理も必要となる。また、雪掻き板を動かすために複数本のロープを操作する必要があり、作業が煩雑である。
【０００６】
特許文献３記載の雪下し器の場合、屋根上に届くように柄の長さを十分長くする必要があることと、雪掻き板の強度を確保する必要があることから、雪下し器自体の軽量化には限界がある。この雪下し器を用いて雪下しを行う場合、ある程度の重量をもつ雪下し器を上方に保持しながら、重量のある積雪を引き下ろすことになり、作業者の負担は大きく、作業者が疲労しやすい。同様の問題は、特許文献４及び５記載の雪下ろし具においても生じる。本考案は、屋根に上らず、屋根上の雪下ろしをより少ない労力で行うことが出来る雪下ろし具を提供することを目的とする。
【課題を解決するための手段】
【０００７】
上記の課題を解決するため、本考案の雪下ろし具は、柄と、該柄の一方の端に設けられた雪掻き板と、前記柄を吊り下げて支持し、前記柄との接続部を略支点として前記柄を揺動可能とする吊り下げ部材とを有することを特徴とする。好適には、前記接続部の位置が調節可能である。また、好適には、前記吊り下げ部材が帯状である。また、好適には、前記柄は屈曲している。好適には、前記柄は、連結された複数の棒状体を有し、伸縮可能とされている。前記柄の他方の端には、前記柄の揺動を補助する重りが付加されていてもよい。前記雪掻き板を前記柄の軸方向に移動させる力を印加できる支持部を、前記柄の他方の端に設けてもよい。
【０００８】
また、上記の課題を解決するため、本考案の雪下ろし具は、柄と、該柄の一方の端に設けられた雪掻き板と、前記柄の他方の端に設けられ、前記雪掻き板を前記柄の軸方向に移動させる力を印加できる支持部とを有することを特徴とする。
【考案の効果】
【０００９】
本考案の雪下ろし具によれば、雪下ろしを行う作業者が、体の一部に吊り下げ部材を吊り下げて、雪下ろし具を保持できる。柄は、吊り下げ部材との接続部を略支点として、鉛直面内と水平面内のいずれにも揺動・回動可能である。雪掻き板と反対側の柄の端近傍を押し下げることにより、雪掻き板に「てこ」の力が働き、雪掻き板が上方に持ち上がる。押し下げた柄の端近傍を戻しながら、雪掻き板に近い側を握る他方の手を押し下げる動作で、雪掻き板を積雪に入れることが出来る。また、雪掻き板を手前に引く動作で、雪を下ろすことが出来る。本考案の雪下ろし具によれば、雪下ろし具の重量が作業者の手と吊り下げ部材に分散されるため、作業者の労力が低減される。また、柄が吊り下げ部材で支持されているため、作業者が片手を柄から離しても、雪下ろし具を制御できる。
【００１０】
本考案の雪下ろし具において、柄と吊り下げ部材との接続部の位置を調節可能とすることにより、作業者の体格や腕力・体力、屋根の高さ、積雪量等に応じた調整が可能となる。これにより、作業者の労力をさらに低減することが出来る。また、柄を例えば雪掻き板の近傍で屈曲させることにより、柄が屋根の軒先に当たるのを避け、かつ屋根上の積雪に対して適切な角度で雪掻き板を動かすことが可能となる。さらに、柄を伸縮可能な構造とすることによっても、作業者の体格、屋根の高さ、積雪量等に応じた雪下ろし具の調整が可能となる。
【００１１】
柄の雪掻き板と反対側の端に重りを付加した場合、柄が吊り下げ部材との接続部を略中心として回動することから、雪掻き板を鉛直面内で安定に上方に持ち上げることが出来る。本考案の雪下ろし具において、柄の雪掻き板と反対側の端にさらに支持部を設け、支持部を作業者の例えば腰等、手以外の部分で補助的に支持した場合、雪掻き板を手前に引く動作での労力を低減させることが出来る。吊り下げ部材を設けない雪下ろし具においても、柄の雪掻き板と反対側の端に支持部を設けると、作業者の腰等で雪下ろし具を補助的に支持することが可能となり、雪掻き板を手前に引く動作が容易となる。以上のように、本考案の雪下ろし具によれば、屋根に上らずに屋根の雪下ろしが可能であり、従来の雪下ろし具に比較して、より少ない労力で雪下ろしを行うことが可能となる。
【考案を実施するための最良の形態】
【００１２】
以下、図１および図２を参照して、本考案の雪下ろし具について説明する。本考案の雪下ろし具は、以下の例に限定されない。図１は、本考案の雪下ろし具の一実施形態を示す全体図である。図１に示すように、雪下ろし具１０１の柄１０２の一端に雪掻き板１０３が設けられ、他方の端に把持部１０４が設けられる。柄１０２の中央よりも把持部１０４寄りの位置に、接続部１０５が設けられる。把持部１０４は柄１０２の雪掻き板１０３と反対側の端と接続部１０５との間にあればよく、必ずしも柄１０２の端にある必要はないが、柄１０２の端に把持部１０４を設けることにより、後述する「てこ」の力を有効に利用でき、作業者の労力が低減される。
【００１３】
帯状部１０６は柄１０２を吊り下げて支持する吊り下げ部材であり、帯状部１０６の両端が接続部１０５に接続している。接続部１０５の位置は固定されていてもよいが、段階的または連続的に調節可能となっていてもよい。作業者の体格や腕力・体力、屋根の高さ、積雪量等に応じて、接続部１０５の位置を調節することにより、作業者の労力を低減することが出来る。
【００１４】
例えば、柄１０２上に把持部１０４からの距離が異なる複数の連結具を設けておき、それらの連結具から選択される一つの連結具を接続部１０５とし、帯状部１０６と接続させることにより、接続部１０５の位置を段階的に調節できる。また、例えば、柄１０２を締め付けることにより柄１０２上に固定され、締め付けを解除することで柄１０２の長手方向にスライドするような機構の連結具を介して、柄１０２に帯状部１０６を接続させてもよい。この場合、接続部１０５の位置を連続的に調節できる。接続部１０５の位置を調節する機構は、これらの機構に限定されない。
【００１５】
図１は、吊り下げ部材として帯状部１０６を設けた例を示すが、吊り下げ部材は必ずしも全体が帯状である必要はない。例えば、紐状の部分と帯状の部分を組み合わせ、作業者の肩・首などに帯状の部分が当たり、作業者の体に接しない部分が紐状であるような吊り下げ部材であってもよい。また、作業者の体格に合わせて、帯状部１０６の長さを調節できるようにしてもよい。図１はシャベル状の雪掻き板１０３を設けた例を示すが、雪掻き板は例えば平面板状であってもよく、雪掻き板の形状は任意に変更できる。
【００１６】
柄１０２は雪掻き板１０３の近傍に屈曲部１０２ａを有する。雪掻き板１０３の接続部１０５側の面を雪掻き面１０３ａとすると、柄１０２は雪掻き面１０３ａと接続部１０５が近づくような向きに屈曲している。これにより、柄１０２が屋根の庇に当たるのを防ぐことが出来る。屈曲部１０２ａは曲線状であっても、一定の角度をなすように直線状の部材が組み合わされた形状であっても、いずれでもよい。また、屈曲部が柄の複数の箇所に設けられていてもよい。
【００１７】
柄１０２は複数の棒状体１０２ｂ、１０２ｃが連結部１０７において連結したものであってもよい。これにより、雪下ろし具１０１を使用しないとき、柄１０２を分割して収納することが可能となる。あるいは、連結部１０７において棒状体１０２ｂ、１０２ｃの一方を、他方の外径以上の内径を有する筒状とし、棒状体１０２ｂ、１０２ｃを嵌合させ、棒状体１０２ｂ、１０２ｃを互いに摺動可能としてもよい。これにより、柄１０２が伸縮可能となり、柄１０２の長さを適切に調節することが可能となる。柄１０２の長さは、作業者の体格、屋根の高さ、積雪量等に応じて調整すればよい。
【００１８】
図２は、本実施形態の雪下ろし具の使用方法を示す模式図である。図２に示すように、帯状部１０６を作業者２０１の首にかけ、一方の腕を帯状部１０６に通す。帯状部１０６は、作業者２０１の一方の肩から他方の腰へ斜めにかけられた「たすき掛け」の状態となる。作業者２０１は接続部１０５を挟むようにして、一方の手で把持部１０４を握り、他方の手で接続部１０５と雪掻き板１０３の間の一箇所を握る。柄１０２は、帯状部１０６の接続部１０５を略支点として、揺動可能である。すなわち、柄１０２は帯状部１０６の接続部１０５を略中心として、鉛直面内と水平面内のいずれにも回動し、かつ雪掻き板１０３を柄１０２の軸方向に移動させる。
【００１９】
作業者２０１が把持部１０４を押し下げることにより、雪掻き板１０３に「てこ」の力が働き、雪掻き板１０３が上方に持ち上がる。押し下げた把持部１０４を戻しながら、雪掻き板１０３に近い側を握る他方の手を押し下げる動作で、雪掻き板１０３を積雪に入れることが出来る。雪掻き板１０３により積雪に切れ目を入れると、雪を自重で屋根から落とすことが出来る。また、雪が落ちない場合は、積雪ごと雪掻き板１０３を手前に引く動作で、雪を下ろすことが出来る。
【００２０】
吊り下げ部材がない従来の雪下ろし具の場合、作業者の両手のみで雪下ろし具を上方に向けて保持するため、雪下ろし具の重量が作業者の負担となるだけでなく、柄の方向の制御が不安定となりやすい。一方、本実施形態の雪下ろし具１０１によれば、帯状部１０６と作業者２０１が接する部分、すなわち作業者２０１の主に肩まわりに、雪下ろし具１０１の重量が分散されるため、作業者２０１が安定に雪下ろし具１０１を保持することが出来る。また、柄１０２が作業者の手だけでなく、帯状部１０６によっても支持されるため、柄の方向の制御が容易である。したがって、作業者の労力が低減される。また、柄１０２が帯状部１０６で支持されているため、作業者が片手を柄１０２から離しても、雪下ろし具を制御できる。
【実施例】
【００２１】
（実施例１）
図３は、本考案の雪下ろし具の一実施例を示す全体図である。図１に示す雪下ろし具と同様に、雪下ろし具３０１の柄１０２の一端に雪掻き板１０３が設けられ、他方の端に把持部１０４が設けられる。柄１０２の把持部１０４近傍に接続部１０５が設けられ、吊り下げ部材である帯状部１０６の両端が接続部１０５に接続している。
【００２２】
柄１０２は３本の棒状体１０２ｂ、１０２ｃ、１０２ｄが組み合わされた形状を有する。棒状体１０２ｂ、１０２ｃは棒状体接続部１０７で直線状に連結され、棒状体１０２ｃ、１０２ｄは屈曲部１０２ａで一定の角度をなすように組み合わされる。これにより、雪下ろし具３０１を使用しないとき、柄１０２を分割して収納することが可能となる。棒状体１０２ｂ、１０２ｃ、１０２ｄの連結には、任意のアダプター部材を用いることが出来る。
【００２３】
柄１０２が雪掻き板１０３の近傍で屈曲していることにより、柄１０２が屋根の庇に当たるのを防ぐことが出来る。把持部１０４から屈曲部１０２ａまでの柄１０２の長さは、例えば４ｍとし、屈曲部１０２ａから雪掻き板１０３までの柄１０２の長さは、例えば１．５ｍとする。屈曲部１０２ａでの柄１０２の曲げ角度は、例えば２０°とする。柄１０２の材質は、柄１０２に十分な強度が確保され、かつ雪下ろし具を軽量化できるものが好ましい。例えば中空のアルミパイプを柄１０２に用いることが出来るが、柄１０２の材質、長さは限定されない。
【００２４】
雪掻き板１０３の大きさは、例えば幅４０ｃｍ、長さ１５ｃｍとする。雪掻き板１０３には、例えば厚さ１ｍｍのアルミ板を用いることが出来る。図３に示すように、雪掻き板１０３に例えば径３ｃｍ程度の複数の孔を設けてもよい。これにより、雪掻き板１０３を軽量化でき、雪掻き板１０３に雪が付着するのを防止することもできる。雪掻き板１０３の一部に、例えばギザギザ状の鋭利な部分を設けて、軒先の氷柱（つらら）を落とすのに用いてもよい。雪掻き板１０３の大きさ、厚さ、形状は、雪下ろし具１０１の重量や扱いやすさを考慮して、適宜変更できる。
【００２５】
把持部１０４の先端には、重り１０８が付加されている。重り１０８は、例えば図４に示すように、重り用フック１０８ａを把持部１０４側のリング１０４ａに引っ掛けて固定することが出来るが、重り１０８の取り付け方は限定されない。また、重り１０８は着脱可能とすることが好ましく、さらに図４に示すような重り用フック１０８ａを設けたものでなくとも良く、例えばビニールの手提げ袋の中に雪や氷等を入れて重り１０８の代用としても良い。重り１０８の重量は、例えば１ｋｇ程度とする。図３に示すように、重り１０８を付加することにより、把持部１０４を接続部１０５に対して下方に押し下げる力が働き、接続部１０５を略支点とする柄１０２の鉛直面内での動きが容易となる。これにより、柄１０２の方向を制御して、雪掻き板１０３を上方の所望の位置に安定的に持ち上げることが出来る。
【００２６】
帯状部１０６は例えば幅５ｃｍ、長さ２ｍとし、作業者の体格に合わせて長さ調節を可能とすることが好ましい。接続部１０５と帯状部１０６の接続は、例えば図５に示すように、帯状部１０６にフック１０６ａを設け、接続部１０５にリング１０５ａを設けて、フックをリングに引っかけることで行う。リング１０５ａを把持部１０４からの距離が異なる複数の箇所に設け、複数のリングから一つのリングを選択してフック１０６ａを固定すれば、接続部１０５の位置調節が可能となる。あるいは、リング１０５ａを柄の長手方向に沿ってスライドするようにして、接続部１０５の位置調節を可能としてもよい。帯状部１０６を接続部１０５に固定する機構、接続部１０５の位置調節を可能とする機構は、特に限定されない。
【００２７】
（実施例２）
図６は、本考案の雪下ろし具の他の実施例を示す模式図である。図１に示す雪下ろし具と同様に、雪下ろし具４０１の柄１０２の一端に雪掻き板１０３が設けられ、他方の端に把持部１０４が設けられる。柄１０２の把持部１０４近傍に接続部１０５が設けられ、吊り下げ部材である帯状部１０６の両端が接続部１０５に接続している。
【００２８】
図６に示す雪下ろし具４０１には、把持部１０４の先端に柄１０２と角度をなすように支持部１０９が設けられている。支持部１０９には、雪掻き板１０３を柄１０２の長手方向に移動させる力を加えることが出来る。支持部１０９を作業者の例えば腰等、手以外の部分に当てることにより、雪下ろし具４０１を補助的に支持することが出来る。この場合、雪掻き板１０３を手前に引いて屋根の雪を下ろす動作で、雪下ろし具４０１に作業者の体重をかけることができ、作業者の腕の負担が軽減される。
【００２９】
（実施例３）
図７は、本考案の雪下ろし具の他の実施例を示す模式図である。図１に示す雪下ろし具と同様に、雪下ろし具５０１の柄１０２の一端に雪掻き板１０３が設けられ、他方の端に把持部１０４が設けられる。図７に示す雪下ろし具５０１の場合、柄１０２の把持部１０４近傍の２箇所に接続部１０５ｂ、１０５ｃが設けられ、吊り下げ部材である帯状部１０６の両端が接続部１０５ｂ、１０５ｃに接続している。
【００３０】
本実施例の雪下ろし具は、図２に示す例と同様に、帯状部１０６を作業者の首にかけ、一方の腕を帯状部１０６に通した「たすき掛け」の状態で使用することが出来る。また、図８に示すように、帯状部１０６を作業者２０１の首にかけ、帯状部１０６の両端が作業者２０１の体の前方に配置される状態で使用することも出来る。作業者６０１は２箇所の接続部１０５ｂ、１０５ｃを挟むようにして、両手で柄１０２を把持できる。
【００３１】
本実施例の雪下ろし具の場合、２箇所の接続部１０５ｂ、１０５ｃの間の部分を略支点として、柄１０２が鉛直面内および水平面内に揺動・回動する。他の実施例の雪下ろし具と同様に、作業者２０１が把持部１０４を押し下げることにより、雪掻き板１０３に「てこ」の力が働き、雪掻き板１０３が上方に持ち上がる。押し下げた把持部１０４を戻しながら、雪掻き板１０３に近い側を握る他方の手を押し下げる動作で、雪掻き板１０３を積雪に入れることが出来る。これにより、雪を自重で屋根から落とすことが出来る。また、雪が落ちない場合は、積雪ごと雪掻き板１０３を手前に引く動作で、雪を下ろすことが出来る。
【００３２】
（実施例４）
図９は、本考案の雪下ろし具の他の実施例を示す模式図である。図６に示す雪下ろし具と同様に、雪下ろし具６０１の柄１０２の一端に雪掻き板１０３が設けられ、他方の端に把持部１０４を介して支持部１０９が設けられるが、吊り下げ部材は設けられない。支持部１０９は柄１０２と角度をなすように設けられ、支持部１０９には雪掻き板１０３を柄１０２の軸方向に移動させる力を加えることが出来る。支持部１０９を作業者の例えば腰等、手以外の部分に当てることにより、雪掻き板１０３を手前に引いて屋根の雪を下ろす動作で、雪下ろし具６０１に作業者の体重をかけることが出来る。したがって、作業者の腕の負担が軽減される。
【００３３】
以上のように、上記の本考案の雪下ろし具によれば、屋根に上らずに屋根の雪下ろしが可能であり、従来の雪下ろし具に比較して、より少ない労力で雪下ろしを行うことが可能となる。
【図面の簡単な説明】
【００３４】
【図１】図１は、本考案の雪下ろし具の実施形態を示す全体図である。
【図２】図２は、本考案の雪下ろし具の使用方法を示す模式図である。
【図３】図３は、本考案の実施例１に示す雪下ろし具の全体図である。
【図４】図４は、図３の一部の拡大図である。
【図５】図５は、図３の一部の拡大図である。
【図６】図６は、本考案の実施例２に示す雪下ろし具の全体図である。
【図７】図７は、本考案の実施例３に示す雪下ろし具の全体図である。
【図８】図８は、図７の雪下ろし具の使用方法を示す模式図である。
【図９】図９は、本考案の実施例４に示す雪下ろし具の全体図である。
【符号の説明】
【００３５】
１０１、３０１、４０１、５０１、６０１  雪下ろし具
１０２    柄
１０２ａ  屈曲部
１０２ｂ〜ｄ  棒状体
１０３    雪掻き板
１０３ａ  雪掻き面
１０４    把持部
１０４ａ  リング
１０５、１０５ｂ、１０５ｃ  接続部
１０５ａ  リング
１０６    帯状部
１０６ａ  フック
１０７    棒状体接続部
１０８    重り
１０８ａ  重り用フック
１０９    支持部
２０１    作業者
【図１】
0003127787.tif 000003
【図２】
0003127787.tif 000004
【図３】
0003127787.tif 000005
【図４】
0003127787.tif 000006
【図５】
0003127787.tif 000007
【図６】
0003127787.tif 000008
【図７】
0003127787.tif 000009
【図８】
0003127787.tif 000010
【図９】
0003127787.tif 000011
【手続補正書】
【提出日】平成18年10月11日(2006.10.11)
【手続補正１】
【補正対象書類名】明細書
【補正対象項目名】０００２
【補正方法】変更
【補正の内容】
【０００２】
家屋等の屋根の雪下ろしは、人が屋根に上り、シャベルやスノーダンプ（登録商標）等の器具を用いて行うことが多い。特許文献１には、危険な足場での雪下ろし作業の労力を低減できる除雪用スノージャンプが開示されている。この除雪用スノージャンプによれば、屋根に上った人が軒先に近づかずに、屋根上の積雪を滑らせ、屋根の下に落とすことができる。